(57)【要約】【課題】掻き取り式ベルトクリーナは、ベルトとの接触状況を的確に管理しタイミングのよい取替えが必要であるが、ベルトクリーナの磨耗やベルトの形状変化のため煩雑な調整や短周期での取り替えが必要である。ベルトクリーナの寿命延長とベルトへの当接方法を改善して、ベルトクリーナの調整や取替えの周期を延長するものである。【解決手段】本発明のベルトクリーナは、２本以上の掻き板取り付け板をベルトの走行方向に間隔を有して、かつベルトの幅方向に配設し、該掻き板取り付け板に掻き板を１枚もしくは２枚ずつ着脱可能に取り付け、前記掻き板取り付け板を取り付け基部に着脱可能に取り付け、該取り付け基部を弾性体で支持して、該弾性体を昇降可能に中間フレームで支持し、該本体フレームを昇降可能にした。【選択図】図１
2009091150.tif 000002
【特許請求の範囲】
【請求項１】
コンベアベルトの付着物をベルトの復路側に設けた掻き板で掻取る方法において、前記ベルトの復路側下方に２本以上の掻き板取り付け板をベルトの走行方向に間隔を有して、かつベルトの幅方向に配設し、該掻き板取り付け板には掻き板が１枚もしくは２枚ずつ着脱可能に取り付けられており、前記掻き板取り付け板は取り付け基部に着脱可能に取り付けられており、該取り付け基部が弾性体で支持され、該弾性体が昇降可能に中間フレームに支持されており、該本体フレームが昇降可能にしてあることを特徴とするベルトクリーニング装置。
【請求項２】
前記取り付け基部が上部に底のあるシリンダ構造をしており、該取付け基部に前記弾性体を挿入し、前記取付け基部に雌ネジを設けたピストンを下方から挿入して弾性体を支持し、該ピストンに雄ネジを設けた支持柱をねじ込んで該ピストンを支持し、該支持柱が前記中間フレームで支持されていることを特徴とする請求項１記載のベルトクリーニング装置。
【請求項３】
前記掻き板取り付け板に切り込み部を設け、前記取り付け基部に差し込み具を設け、該差し込み部に前記切り込み部を挿入して、前記掻き板取付板を前記取付け基部に着脱できるようにするとともに、前記掻き板取付板に切り欠き部と受け溝を設けて、前記掻き板に掛け具を取付けて、該掛け具を前記掻き板取り付け板の切り欠き部に挿入し、前記掻き板の底部を前記受け溝に挿入して、前記掻き板を前記掻き板取付板に着脱できるようにしたことを特徴とする請求項１および請求項２記載のベルトクリーニング装置。
【請求項４】
前記掻き板取り付け板において、少なくとも１枚の掻き板取り付け板にはベルト中央部を掻き取る掻き板が１枚取り付けられ、他の掻き板取り付け板にはベルトの幅方向に対称に２枚の掻き板が取り付けられ、かつベルトの下流側の掻き板取付板の掻き板は上流側の掻き板取付板の掻き板と互いにラップ代を有しながら、ベルトの両端側に広がるように配設される事によりベルトの幅全体の掻き取りができるようにしていることを特徴とする請求項１及び請求項２及び請求項３記載のベルトクリーニング装置。
【発明の詳細な説明】
【技術分野】
【０００１】本発明はベルトコンベアのベルト付着物を除去するベルトクリーニング装置に関するもので、掻き板の取替え周期を延長し、煩雑な掻き板の位置決め調整や取替え作業を軽減することを具現化するものである。
【背景技術】
【０００２】火力発電所、製鉄所、化学プラント、下水処理場、ゴミ処理場などでは、各種原料や燃料、処理済の材料、廃棄物などを搬送するベルトコンベアが使用されている。このベルトコンベアは、駆動プーリと従動プーリとの間に所定幅のベルトをエンドレス（無端状）に巻き付け、駆動プーリを回転させることによりそのベルトを周回運動させるものである。搬送物をベルトコンベアで搬送する場合、ベルトがヘッドプーリ側で反転して、搬送物がベルト上に付着したまま復動側に搬送されると、付着物がベルトコンベア全長に渡り落下して、ベルトコンベア下に堆積する。ベルトコンベア下の堆積物は定期的な清掃が必要であり、放置しておくと徐々に成長し、遂にはローラやベルトにまで到達し、ローラやベルトと接触しこれらを磨耗させる。また、ベルトの不着物は復路側のローラを磨耗させる作用があり往路側ローラに比し、復路側のローラ寿命が短いなどの問題があった。そのため、復路側のベルト面にクリーナを押圧させて、不着物を掻き取る方法において、さまざまなタイプのクリーナが提案されている。【０００３】（１）クリーナをベルトの走行方向に間隔を有して少なくとも２段配設するとともに、各クリーナのベルト表面への当接部を、ベルトの幅方向に間隔を有して突設した数個の櫛歯状突起をもって構成した不着物除去装置が提案されている。（特許文献１参照）。（２）コンベアベルトに接するよう該ベルトの中心部から両幅端へ向けベルト進行方向下流側へ適宜傾斜角で複数のダスト掻き取り用チップをラップして配設し、且つ該各チップを前記コンベアの下面側に配した支持軸の取り付けフレームに取付けたベルトコンベアクリーナが提案されている。（特許文献２参照）。（３）軸体に弾性体を介して先端にクリーナチップを設けたクリーナ本体の両端部に、支持体を介してベルト幅方向に適当な弾力を与え、かつベルト幅方向に揺動しうる弾性体を固設してクリーナ本体を支持するとともに、クリーナ本体をベルト幅方向の左右に揺動させるスライド機構を軸体に連結して設けたベルトクリーナが提案されている（特許文献３参照）。【０００４】
【特許文献１】実開昭５５−２０３１１号広報
【特許文献２】実開昭５８−９９２２８号広報
【特許文献２】実開昭５９−１４６３１６号広報
【発明の開示】
【発明が解決しようとする課題】
【０００５】（特許文献１）の方法においては、（１）櫛歯状突起がベルトの幅方向に一つの支持部材に取付けられており、ベルト中央部周辺とベルト両端部周辺の掻き取りに斑が生じる、（２）掻き取りに斑が生じた場合は、一つの支持部材についている全部の櫛歯状突起を調整する必要があり手間がかかる、（３）一つの支持部材がベルトの半分の掻き取りを負担しており大きな押し付け力を要するので、櫛歯状突起の当たりが不均一になるとベルトが部分的に磨耗しやすい、（４）チップの磨耗に追随してチップを常時押し付ける機能がないので掻き取り性能がすぐに低下するなどの問題がある。【０００６】（特許文献２）の方法においては、（１）一つのフレームにベルト幅全体を掻き取る複数のチップが付いているので、全てのチップがベルトに均一に当接するように調整するのが困難である、（２）掻き取りに斑が生じた場合はフレーム全体のチップの調整が必要であり手間がかかる、（３）一つのフレームにベルト全幅のチップが付いているので大きな押し付け力を必要とし、チップの当たりが不均一になるとベルトが部分的に磨粍しやすい、（４）クリーナ全体をベルトコンベアから外さないとチップの交換ができない、（５）チップの磨耗に追随してチップを常時押し付ける機能がないので掻き取り性能がすぐに低下する、（６）チップが斜めに取り付けられているので、チップのエッジでベルトを損傷するなどの問題がある。【０００７】（特許文献３）の方法においては、（１）一つの軸体にベルト幅全体を掻き取る複数のチップが付いているので、全てのチップがベルトに均一に当接するように調整するのが困難である、（２）掻き取りに斑が生じた場合は軸体に付いている全てのチップの調整が必要であり手間がかかる、（３）一つの軸体にベルト全幅のチップが付いているので大きな押し付け力を必要とし、チップの当たりが不均一になるとベルトが部分的に磨耗しやすい、（４）クリーナチップがラップしていないのでベルト幅方向に揺動させる必要があり故障しやすい、（５）チップの間にダストが詰まり弾性体が機能しなくなるなどの問題がある。【０００８】本発明は、従来のクリーニング装置が有していた上記問題を解決し、（１）掻き板の調整を容易にする、（２）掻き板の取替えを容易にする、（２）掻き板の取替え周期を延長する、（３）ベルトの幅方向にわたり斑のないクリーニング性能を実現する、（４）ベルトの押し付け力を最小限にしてベルトの磨耗を抑制することを実現するものである。
【課題を解決するための手段】
【０００９】第１の解決手段は特許請求項１に示すように、コンベアベルトの付着物をベルトの復路側に設けた掻き板で掻取る方法において、前記ベルトの復路側下方に２本以上の掻き板取付板をベルトの走行方向に間隔を有して、かつベルトの幅方向に配設し、該掻き板取付板には掻き板が１枚もしくは２枚ずつ着脱可能に取り付けられており、前記掻き板取付板は取り付け基部に着脱可能に取り付けられており、該取り付け基部が弾性体で支持され、該弾性体が昇降可能に中間フレームに支持されており、該中間フレームが昇降可能にしてあるベルトクリーニング装置である。【００１０】第２の解決手段は特許請求項２に示すように、前記取り付け基部が上部に底のあるシリンダ構造をしており、該取付け基部に前記弾性体を挿入し、前記取付け基部に雌ネジを設けたピストンを下方から挿入して弾性体を支持し、該ピストンに雄ネジを設けた支持柱をねじ込んで該ピストンを支持し、該支持柱が前記中間フレームで支持されているベルトクリーニング装置である。【００１１】第３の解決手段は特許請求項３に示すように、前記掻き板取付板に切り込み部を設け、前記取り付け基部に差し込み具を設け、該差し込み部に前記切り込み部を挿入して、前記掻き板取付板を前記取付け基部に着脱できるようにするとともに、前記掻き板取付板に切り欠き部と受け溝を設けて、前記掻き板に掛け具を取付けて、該掛け具を前記掻き板取付板の切り欠き部に挿入し、前記掻き板の底部を前記受け溝に挿入して、前記掻き板を前記掻き板取付板に着脱できるようにしたベルトクリーニング装置である。【００１２】第４の解決手段は特許請求項４に示すように、前記掻き板取付板において、少なくとも１枚の掻き板取付板にはベルト中央部を掻き取る掻き板が１枚取り付けられ、他の掻き板取付板にはベルトの幅方向に対称に２枚の掻き板が取り付けられ、かつベルトの下流側の掻き板取付板の掻き板は上流側の掻き板取付板の掻き板と互いにラップ代を有しながら、ベルトの両端側に広がるように配設される事によりベルトの幅全体の掻き取りができるようにしているベルトクリーニング装置である。
【発明の効果】
【００１３】
【００１４】第１の解決手段による効果は、（１）掻き板が着脱可能に取り付けられているので取替えが容易である、（２）掻き板取付板が弾性体で支持されているので掻き板は常に一定の押し付け力でベルトに当接されるので掻き板を長期にわたり安定した性能で使用できる、（３）従って、掻き板の取替え周期を延長できる、（４）掻き板取付板は昇降可能に弾性体で支持されているので、ベルト幅方向の掻き板の高さやベルトへの押し付け力を容易に調整できる、（５）掻き板取付板に取り付ける掻き板はそれぞれ１枚もしくは２枚なので調整が容易である、（６）掻き板取付板を増やすことにより、複数の掻き板を取り付けることができ掻き板１枚あたりの押し付け力を小さくできる、（７）従って、掻き板によるベルトの磨耗が低減できる、（８）本体フレームが昇降できるので、掻き板をベルトから下方に退避させて掻き板や掻き板取付板の交換ができ、掻き板の取替えが容易なことである。【００１５】第２の解決手段による効果は、（１）弾性体がシリンダ構造の取り付け基部の中に格納されているので、ダスト堆積や腐食により弾性体が機能しなくなることがない、（２）ネジを回転させることにより容易に掻き板取付板の高さ（掻き板の高さ）を調節できる、（３）掻き板に大きな外力が作用したときに下方に退避できるので掻き板の損傷を回避できることである。【００１６】第３の解決手段による効果は、（１）掻き板取付板の切り欠きにより掻き板が幅方向にずれるのを防止できる、（２）掻き板の掛け具や掻き板取付板の溝により容易に掻き板を掻き板取付板に取り付けることが出来る、（３）掻き板取付板を容易に取付け基部に着脱できることである。【００１７】第４の解決手段による効果は、（１）ベルト幅における中央部と両端部の掻き板を分離することで掻き取り性能を向上できる、（２）２枚の掻き板をベルト幅方向に対称に取り付けることにより掻き板取付板のバランスをとる事ができる、（３）掻き板をラップして取り付けることで斑のない掻き取りができることである。
【発明を実施するための最良の形態】
【００１８】
【００１９】以下、本発明の実施の形態を図１〜図６に基づいて説明する。【００２０】ベルトクリーニング装置６０の全体構造を図１及び図２に基づいて説明する。図１はベルトクリーニング装置６０の斜視図である。図２はベルトクリーニング装置の一部を断面した側面図である。コンベアベルト１０の付着物をベルト１０の復路側に設けた掻き板２０で掻取る方法において、前記ベルト１０の復路側下方に２本以上の掻き板取付板３０をベルト１０の走行方向に間隔を有して、かつベルト１０の幅方向に配設し、該掻き板取付板３０には掻き板２０が１枚もしくは２枚ずつ着脱可能に取り付けられており、前記掻き板取付板３０は取り付け基部４０に着脱可能に取り付けられており、該取り付け基部が弾性体４１で支持され、該弾性体４１が昇降可能に中間フレーム５０に支持されており、該中間フレーム５０が昇降可能にしてある。【００２１】掻き板２０は一枚の掻き板取付板３０に１枚もしくは２枚取付ける。掻き板２０を３枚以上取付けると片当たりが生じてベルト１０と均等に当接しなかったり、片当たりを解消するため掻き板取付板３０を大きな力でベルト３０に押し付けることになりベルト３０の磨耗が早くなったりする場合があり好ましくない。掻き板３０の幅は５０〜３００ｍｍがよい。５０ｍｍより狭いと、ベルト１０の幅全体をカバーするのに多くの掻き板取付板３０を配設する必要がある。３００ｍｍより広いと、ベルト３０に均等に当接しにくくなる。また、掻き板取付板３０を大きな力で押し付ける必要が生じる。望ましくは１００〜２００ｍｍである。ベルト１０の幅全体を掻き取るには、ベルト１０の幅や掻き板２０の幅に応じて所要数の掻き板取付板３０を配設すればよい。上流側と下流側の隣り合う掻き板２０は互いにラップ代を有するように配設して、線状の掻き取り残部がないようにする。ベルト１０の中央部とベルト１０の両端部はベルト１０の磨耗状況やダストの不着物状況が異なるので、中央部と両端部の掻き板取付板３０は分離して配設するのがよい。従って、少なくとも１枚の掻き板取付板３０には掻き板２０を１枚取付けてベルト１０の中央部を掻き取るようにするのがよい。掻き板２０はベルト１０の幅方向に対して対称に取付けるのがよい。掻き板２０とベルト１０との摩擦力により掻き板取付板３０や取り付け基部４０に偏荷重かかるのを防止するためである。掻き板２０にはセラミックスや超硬合金の薄板をボルトや接着剤で取付けることにより寿命を延長できる。【００２２】取り付け基部４０及び取り付け基部４０の支持構造を図２に基づいて説明する。前記取り付け基部４０が上部に底４２のあるシリンダ構造をしており、該取付け基部４０に前記弾性体４１を挿入し、前記取付け基部４０に雌ネジ７１を設けたピストン７０を下方から挿入して弾性体４１を支持し、該ピストン７０に雄ネジ８１を設けた支持柱８０をねじ込んで該ピストン７０を支持し、該支持柱８０が前記中間フレーム５０で支持されている。中間フレーム５０はスクリュウジャッキ９０などで本体フレーム１００に支持される。ベルトクリーニング装置６０全体は本体フレーム１００に載置されており、本体フレーム１００から上部を一体の構造として、コンベア架台１１０に取り付けることができる。弾性体４１にはコイルバネ、皿バネ、タケノコバネなどのバネやゴムが使用できる。掻き板２０の高さを調整するには、ピストン７０を回転させて昇降させる。ピストン７０が昇降すると弾性体４１、取付け基部４０、掻き板取付板３０が昇降し、掻き板２０が昇降する。掻き板２０はベルト１０の両側から高さ調整ができるようにベルト１０の両側に昇降機能を設けている。ピストン７０の回転を容易にするためにピストン７０には回転用突起７２を設けている。中間フレーム５０はスクリュウジャッキ９０で昇降させる。スクリュウジャッキ９０は同時に昇降させてもいいし、上流側と下流側をそれぞれ単独に昇降させてもよい。掻き板２０をベルト１０に当接するようにセッティングする場合は、まず上流側のスクリュウジャッキ９０ａを昇降させて、中央部の掻き板２０ａとベルト１０のセッティングを確認してから、下流側のスクリュウジャッキ９０ｂを上昇させてベルト１０の両端の掻き板２０ｄをセッティングするのがよい。ベルト１０の中央部の掻き取りが一番重負荷であり、できるだけ小さな押し付け力でセッティングして、ベルト１０の磨耗を低減しなければならないからである。【００２３】掻き板１０と掻き板取付板３０の着脱方法を図３、図４、図５に基づいて説明する。図３は掻き板取付板３０の正面図である。図４は掻き板取付板３０に掻き板２０を取り付けて取り付け基部４０に装着した図である。図５は掻き板２０の斜視図で一部を断面した図である。掻き板取付板３０に切り込み部３１を設け、前記取り付け基部４０に切り込み受け具４３を設け、該切り込み受け部４３に前記切り込み部３１を挿入して、前記掻き板取付板３０を前記取付け基部４０に着脱できるようにするとともに、前記掻き板取付板３０に切り欠き部３２と受け溝３３を設けて、前記掻き板２０に掛け具２１を取付けて、該掛け具２１を前記掻き板取付板３０の切り欠き部３２に挿入し、前記掻き板２０の底部２２を前記受け溝３３に挿入して、前記掻き板２０を前記掻き板取付板３０に着脱できるようにしている。【００２４】掻き板の配列方法を図６に基づいて説明する。図６はベルトクリーニング装置の平面図である。前記掻き板取付板３０において、少なくとも１枚の掻き板取付板３０ａにはベルト１０の中央部を掻き取る掻き板２０ａが１枚取り付けられ、他の掻き板取付板３０ｂ、３０ｃ、３０ｄにはベルト１０の幅方向に対称に２枚の掻き板２０ｂ、２０ｃ、２０ｄが取り付けられ、かつベルト１０の下流側の掻き板取付板３０の掻き板２０は上流側の掻き板取付板３０の掻き板２０と互いにラップ代Ｗを有しながら、ベルト１０の両端側に広がるように配設される事によりベルト１０の幅全体の掻き取りができるようにしている。ラップ代Ｗは５〜３０ｍｍがよい。５ｍｍより小さいと掻き板２０や掻き板取付板３０の取り付け状態によって線状の掻き取り不足の領域が生じる。３０ｍｍより大きいと掻き板２０の取り付け枚数が多くなるのでコスト高になる。望ましくは１０〜２０ｍｍである。掻き板２０は上流側から下流側に向けて、掻き板２０の取り付け間隔を広げるのがよい。最もダスト不着量の多い中央部の掻き板２０ａを基準に他の掻き板２０ｂ、２０ｃ、２０ｄの設定をするのが望ましいからである。掻き板２０はベルトの中心Ｃに対して対称に取付けるのが良い。例えば、掻き板２０ｄはベルトの中心線Ｃに対して距離Ｌ離して等距離に取り付けられている。
【図面の簡単な説明】
【００２５】
【００２６】図１はベルトクリーニング装置の斜視図である。
図２はベルトクリーニング装置の一部を断面した側面図である。
図３は掻き板取付板３０の正面図である。
図４はベルトクリーニング装置の正面図で、掻き板を取り付けた掻き板取付板を取り付け基部に装着した図である。
図５は掻き板の斜視図で一部を断面した図である。
図６はベルトクリーニング装置の平面図である。
【符号の説明】
【００２７】１０：ベルト、２０：掻き板、２０ａ：掻き板、２０ｂ：掻き板、２０ｃ：掻き板、２０ｄ：掻き板、２１：掛け具、２２：底、３０：掻き板取付板、３０ａ：掻き板取付板、３０ｂ：掻き板取付板、３０ｃ：掻き板取付板、３０ｄ：掻き板取付板、３１：切込み部、３２：切り欠き部、３３：受け溝、４０：取付け基部、４１：弾性体、４２：底、４３：切り込み受け部、５０：中間フレーム、６０：ベルトクリーニング装置、７０：ピストン、７１：雌ネジ、７２：回転用突起、８０：支持柱、８１：雄ネジ、９０：スクリュウジャッキ、１００：本体フレーム、１１０：ベルトコンベア架台、Ｃ：ベルト中心線、Ｗ：ラップ代、Ｌ：距離
【図１】
2009091150.tif 000003
【図２】
2009091150.tif 000004
【図３】
2009091150.tif 000005
【図４】
2009091150.tif 000006
【図５】
2009091150.tif 000007
【図６】
2009091150.tif 000008